(57)【要約】【課題】自分の好みで所定のパターンを付加できる粘着式掲示板装置を提供する。【解決手段】掲示板シート４、第１の保護シート５、透明シート７及び第２の保護シート６が順に積層されている。掲示板シートは印刷可能な上面４１と第１の接着層４０が塗布された下面４２とを有する。第１の保護シートはその上面５１に塗布された離型剤層５０を介して剥離可能に掲示板シートの第１の接着層に接着されており、その下面５２にも離型剤層５０が塗布されている。透明シートはその上下両面７１，７２にそれぞれ第２及び第３の接着層７０１，７０２が塗布されており、且つ第２の接着層で第１の保護シートの下面における離型剤層を介して第１の保護シートに接着されている。第２の保護シートはその上面６１に塗布された離型剤層６０を介して剥離可能に前記第３の接着層に接着されている。【選択図】　　図２
2004093790.tif 000002
【特許請求の範囲】
【請求項１】
掲示板シートと、第１の保護シートと、透明シートと、第２の保護シートとを上下順序に積層してなる粘着式掲示板装置であって、
前記掲示板シートは印刷可能な上面と、第１の接着層が塗布された下面とを有し、前記第１の保護シートは、その上面に塗布された離型剤層を介して剥離可能に前記掲示板シートの第１の接着層に接着されており、その下面にも離型剤層が塗布されており、前記透明シートは、その上下両面にそれぞれ第２及び第３の接着層が塗布されており、且つ、該第２の接着層で前記第１の保護シートの下面における離型剤層を介して前記第１の保護シートに接着されており、前記第２の保護シートはその上面に塗布された離型剤層を介して剥離可能に前記第３の接着層に接着されていることを特徴とする粘着式掲示板装置。
【請求項２】
前記第３の接着層は剥離可能な圧感接着剤からなることを特徴とする請求項１に記載の粘着式掲示板装置。
【発明の詳細な説明】
【０００１】
【発明の属する技術分野】
本発明は粘着式掲示板装置に関する。
【０００２】
【従来の技術】
従来の粘着式掲示板装置は、例として、米国特許第５３４２６６５号に開示されているように、掲示板の前面に複数の粘着帯が固着してあり、これらの粘着帯にメモや、スケジュール、クーポンなどを粘着したり剥離したりし、反復して使用することができる。もっと詳しくみると、前記複数の粘着帯はそれぞれ粘着部がある上、粘着帯同士の間に、また、２以上の粘着帯によって保持されている小物を容易に剥離させるための非粘着性くぼみが保留されている。
【０００３】
また、他の例として、特開第２００１−１４２３８１号に開示されている粘着式掲示板装置は、シート状の基板の上下両面にそれぞれ接着層を介して保護シートを積層してなる。この粘着式掲示板装置を使用する場合、前記基板から前記２の保護シートを剥離し、前記基板を、所定の処に前記２接着層の一方を介して粘着し、メモやポスターなどを前記２接着層の他方に粘着することができる。
【０００４】
上記のような粘着式掲示板装置は、その外観を美化するために、予め所定のパターンを印刷しておくことができるが、粘着式掲示板装置に印刷しておいたパターンは、あまり個人化または個性化がなく、掲示者の身分または掲示しようとするテーマに呼応することができないため、掲示者の身分または掲示しようとするテーマに呼応する必要がある時、個人化または個性化のパターンが付してある粘着式掲示板装置を特に製作しなければならない。即ち、なにかを掲示しようとする際に、始めて前記個人化または個性化のパターンを印刷するための印刷板を用意し、掲示板に接着層を塗布する前に先に前記印刷板を使用して掲示面に前記パターンを印刷してから接着層を塗布する注文生産同様の製作をする必要があるので、かなり面倒臭いのみならず、コストも非常に高いという欠点がある。
【０００５】
【発明が解決しようとする課題】
上記に鑑みて、本発明の目的は、なにかを掲示しようとする際に、随時に、自分の好みで所定のパターンを付加することができる粘着式掲示板装置を提供しようとすることにある。
【０００６】
【課題を解決するための手段】
上記目的を達成するために、本発明は掲示板シートと、第１の保護シートと、透明シートと、第２の保護シートとを上下順序に積層してなる粘着式掲示板装置であって、前記掲示板シートは印刷可能な上面と、第１の接着層が塗布された下面とを有し、前記第１の保護シートは、その上面に塗布された離型剤層を介して剥離可能に前記掲示板シートの第１の接着層に接着されており、その下面にも離型剤層が塗布されており、前記透明シートは、その上下両面にそれぞれ第２及び第３の接着層が塗布されており、且つ、該第２の接着層で前記第１の保護シートの下面における離型剤層を介して前記第１の保護シートに接着されており、前記第２の保護シートはその上面に塗布された離型剤層を介して剥離可能に前記第３の接着層に接着されていることを特徴とする粘着式掲示板装置を提供する。
【０００７】
上記の構成による本発明の粘着式掲示板装置は、前記掲示板シートの上面に、従来のような接着層がないため、随時に所定のパターンを印刷やコピーをすることができ、また、前記掲示板シートの上面に前記所定のパターンを印刷やコピーをした後、前記第２の保護シートと前記透明シートとを順番に剥がしてから、前記透明シートを前記第２の接着層を介して前記掲示板シートの上面に粘着し、そして、前記掲示板シートの下面から前記第１の保護シートを剥がして前記掲示板シートを前記第１の接着層で壁や他の平面上に粘着することだけにより、前記透明シートの第３の接着層によってメモやクーポンなどの小物を保持したり掲示したりし、掲示板として使用することができるのみならず、前記に付加したパターンによって掲示者の身分または掲示しようとするテーマに呼応する個性を表現することもできる。そして、前記第３の接着層はメモやクーポンなどの小物を脱着可能に保持するためのものであるため、剥離可能な圧感接着剤を使用してなることが好ましい。
【０００８】
【発明の実施の形態】
以下、図面を参照しながら、本発明の粘着式掲示板装置の好ましい実施の形態を説明する。図１に示すように、本実施の形態における粘着式掲示板装置３は、掲示板シート４と、第１の保護シート５と、透明シート７と、第２の保護シート６とを上下順序に積層してなる。前記掲示板シート４は、印刷可能な上面４１と、第１の接着層４０が塗布された下面４２とを有する。また、前記第１の保護シート５は、その上面５１に塗布された離型剤層５０を介して剥離可能に前記掲示板シート４の第１の接着層４０に接着されており、その下面５２にも離型剤層５０が塗布されている。また、前記透明シート７は、その上下両面７１，７２にそれぞれ第２及び第３の接着層７０１，７０２が塗布されており、且つ、該第２の接着層７０１で前記第１の保護シート５の下面５２における離型剤層５０を介して前記第１の保護シート５に接着されている。また、前記第２の保護シート６は、その上面６１に塗布された離型剤層６０を介して剥離可能に前記第３の接着層７０２に接着されている。
【０００９】
また、前記掲示板シート４は紙板からなるが、これに限らず、印刷可能な表面を有する材料ならば、例えば、ポリエチレンやポリ塩化ビニルなどのプラスチック材からなるプラスチック板を使用してもよい。
【００１０】
そして、図３と合わせて、粘着式掲示板装置の使用方法を説明する。先ず、使用者は、所定のパターン８を例えばプリンタなどによって前記掲示板シート４の表面４１に印刷やコピーをした後、前記第２の保護シート６と前記透明シート７とを順番に剥がしてから、前記透明シート７を前記第２の接着層７０１を介して前記掲示板シート４の上面４１に粘着し、そして、前記掲示板シート４の下面４２から前記第１の保護シート５を剥がして前記掲示板シート４を前記第１の接着層４０で壁１００に粘着する。そうすると、前記透明シート７の第３の接着層７０２によってメモやクーポンなどの小物を保持したり掲示したりし、掲示板として使用することができるのみならず、前記所定のパターン８によって掲示者の身分または掲示しようとするテーマに呼応する個性を表現することもできる。なお、前記所定のパターンを現すため、前記透明シート７は透明なプラスチックシートを使用することが望ましい。
【００１１】
また、前記第２及び第３の接着層は圧感接着剤を使用してなることが望ましく、特に、前記第３の接着層はメモやクーポンなどの小物を脱着可能に保持するためのものであるため、剥離可能な圧感接着剤を使用してなることが望ましい。
【００１２】
【発明の効果】
上記のように、本発明の粘着式掲示板装置は、前記掲示板シートの上面に、従来のような接着層がないため、随時に所定のパターンを印刷やコピーをすることができ、また、前記掲示板シートの上面に前記所定のパターンを印刷やコピーをした後、前記第２の保護シートと前記透明シートとを順番に剥がしてから、前記透明シートを前記第２の接着層を介して前記掲示板シートの上面に粘着し、そして、前記掲示板シートの下面から前記第１の保護シートを剥がして前記掲示板シートを前記第１の接着層で壁や他の平面上に粘着することだけにより、前記透明シートの第３の接着層によってメモやクーポンなどの小物を保持したり掲示したりし、掲示板として使用することができるのみならず、前記に付加したパターンによって掲示者の身分または掲示しようとするテーマに呼応する個性を表現することもできる。
【図面の簡単な説明】
【図１】本発明の粘着式掲示板装置の好ましい実施の形態を示す分解図。
【図２】前記実施の形態の粘着式掲示板装置を示す断面図。
【図３】前記実施の形態における粘着式掲示板装置の使用状態を示す説明図。
【符号の説明】
３　粘着式掲示板装置
４　掲示板シート
４０　第１の接着層
４１　掲示板シートの上面
４２　掲示板シートの下面
５　第１の保護シート
５０　離型剤層
５１　第１の保護シートの上面
５２　第１の保護シートの下面
６　第２の保護シート
６０　離型剤層
６１　第２の保護シートの上面
７　透明シート
７０１　第２の接着層
７０２　第３の接着層
７１　透明シートの上面
７２　透明シートの下面
８　パターン
１００　壁
【図１】
2004093790.tif 000003
【図２】
2004093790.tif 000004
【図３】
2004093790.tif 000005